(57)【特許請求の範囲】
【請求項１】
ハウスの柱および梁が、夫々エアビームの骨組構造４０で構成され、その骨組構造４０にフィルムを掛けまたは、係止して塵埃を遮蔽し、内部に作業空間を形成するものにおいて、
前記骨組構造４０が、多数の要素ビーム３０の端間を着脱自在に組み合わせたものからなり、
夫々の要素ビーム３０は、
外面にエアカプラ１２が突設され、そこから空気が出入自在に充満される可撓性のエアチューブ１０と、
そのエアチューブ１０に略整合すると共に、軸線に沿って開閉自在にエアチューブ挿脱用開口部１４が形成され且つ、端部外周に要素ビーム接続用の接続具２１が突設されたエアチューブ収納用の可撓性のカバーチューブ２０と、
隣接する要素ビーム３０の接合部の外周に着脱自在に被着されて、その接合部が補強される補強ベルト４１と、を備え、その補強ベルト４１は複数の細長い剛性の補強板４２が、前記要素ビーム３０の周方向に並列して、互いに平行に接続されたものからなることを特徴とするエアビームハウス。
【請求項２】
請求項１において、
要素ビーム３０が、複数の直線部材３１と、少なくとも四つの隅梁部材３３とを有し、
前記隅梁部材３３は、夫々互いに直交する第１梁部と第２梁部と柱部とが三叉状に一体に形成されたエアチューブ１０およびカバーチューブ２０かなり、そのカバーチューブ２０の両梁部および柱部の先端部外周に前記接続具２１が夫々突設され、
夫々の隅梁部材３３がハウスの四隅に配置されると共に、夫々の第１梁部および第２梁部が互いに接続され且つ、夫々の柱部の下端に前記直線部材３１が接続されて立設されたエアビームハウス。
【請求項３】
請求項１において、
夫々の要素ビーム３０のエアチューブ１０の両端部外周に給気用の２組のエアカプラ１２が備えられ、隣接する要素ビーム３０のエアチューブどうしが、順次そのエアカプラ１２およびエアホース１１によって接続されたことを特徴とするエアビームハウス。
【請求項４】
請求項３において、
エアホース１１がその内部に流通する空気の流れを開閉自在に閉塞する閉止手段１３を備えたことを特徴とするエアビームハウス。
【請求項５】
請求項１において、
隣接する要素ビーム３０のカバーチューブの接続具２１が、対向するカバーチューブの端面に夫々設けられ、互いに係脱される多数の小さなフックが植設された係止布とそのフックに係合する係合部材が多数植設された係合布とからなる一対の面ファスナ２２と、カバーチューブの縁部に突設された締結用の接続紐２３と、によって構成されたことを特徴とするエアビームハウス。
【請求項６】
請求項１において、
隣接する要素ビーム３０のカバーチューブの接続具２１が、カバーチューブ２０の端を周方向に係合用ファスナー２４が設けられたエアビームハウス。
【請求項７】
請求項１において、
隣接する要素ビーム３０の接続具２１が、カバーチューブ２０の端の円周上に等配付設された接続紐２３およびその先端に設けられた係合部品・係止部品によって構成されたことを特徴とするエアビームハウス。
【請求項８】
請求項１において、
隣接する要素ビーム３０の接合部に平板シート２５を備えたことを特徴とするエアビームハウス。
【請求項９】
請求項１において、
要素ビーム３０との接続具２１を備え、骨組構造４０の支柱ごとに床面に載置されて、支柱を構成する要素ビーム３０の下端を接続し、且つ支持する筒状の専用基礎５０を備えたことを特徴とするエアビームハウス。
【発明の詳細な説明】
【０００１】
【発明の属する技術分野】
本発明は、たとえば、建屋内の機器据付の現場で、塵埃の発生が避けられないコンクリートのハツリ作業や、塵埃を嫌う機器の組立作業・養生・一時保管などのために、所要規模の遮蔽空間を、所望の位置に、軽便に設営するための手段に関する。
【０００２】
【従来の技術】
従来、塵埃の出入りを防ぐ遮蔽空間を設けるには、材木による骨組構造を作成したり、建屋の支柱間にワイヤを張るなどして、ビニールシート等のフィルムを掛ける方法が採られた。或いは、この種の目的のために製造され、平行な２個の逆Ｕ字の頂点を１本の梁で繋がれた、従って４本柱を備えて一体形のチューブを基本構成とする商品などが提供されていた。
しかし、これらは夫々に、高所作業を必要としたり、機器の搬出・搬入に際しての接触に弱点を露呈したり、設置のたびに設置環境に固有の工夫を要する等の諸問題を抱え、或いは、設置場所の限られた空間に、広さと天井高さとを自在に備えた作業空間を形成するには、適応性に著しく欠ける面があった。
【０００３】
【発明が解決しようとする課題】
本発明は上記の事情に鑑みてなされたもので、許容空間に適応しつつ、所要の広さや天井高さを備えた防塵用の遮蔽空間を、適宜、軽便に設営できるエアビームハウスを提供することを課題とするものである。
【０００４】
【課題を解決するための手段】
すなわち、請求項１に記載の発明は、ハウスの柱および梁が、夫々エアビームの骨組構造４０で構成され、その骨組構造４０にフィルムを掛けまたは、係止して塵埃を遮蔽し、内部に作業空間を形成するものにおいて、
前記骨組構造４０が、多数の要素ビーム３０の端間を着脱自在に組み合わせたものからなり、
夫々の要素ビーム３０は、
外面にエアカプラ１２が突設され、そこから空気が出入自在に充満される可撓性のエアチューブ１０と、
そのエアチューブ１０に略整合すると共に、軸線に沿って開閉自在にエアチューブ挿脱用開口部１４が形成され且つ、端部外周に要素ビーム接続用の接続具２１が突設されたエアチューブ収納用の可撓性のカバーチューブ２０と、
隣接する要素ビーム３０の接合部の外周に着脱自在に被着されて、その接合部が補強される補強ベルト４１と、を備え、その補強ベルト４１は複数の細長い剛性の補強板４２が、前記要素ビーム３０の周方向に並列して、互いに平行に接続されたものからなることを特徴とするエアビームハウスである。
【０００５】
請求項２に記載の発明は、請求項１において、
要素ビーム３０が、複数の直線部材３１と、少なくとも四つの隅梁部材３３とを有し、
前記隅梁部材３３は、夫々互いに直交する第１梁部と第２梁部と柱部とが三叉状に一体に形成されたエアチューブ１０およびカバーチューブ２０かなり、そのカバーチューブ２０の両梁部および柱部の先端部外周に前記接続具２１が夫々突設され、
夫々の隅梁部材３３がハウスの四隅に配置されると共に、夫々の第１梁部および第２梁部が互いに接続され且つ、夫々の柱部の下端に前記直線部材が接続されて立設されたエアビームハウスである。
【０００６】
請求項３に記載の発明は、請求項１において、
夫々の要素ビーム３０のエアチューブ１０の両端部外周に給気用の２組のエアカプラ１２が備えられ、隣接する要素ビーム３０のエアチューブどうしが、順次そのエアカプラ１２およびエアホース１１によって接続されたことを特徴とするエアビームハウスである。
請求項４に記載の発明は、請求項３において、
エアホース１１がその内部に流通する空気の流れを開閉自在に閉塞する閉止手段１３を備えたことを特徴とするエアビームハウスである。
請求項５に記載の発明は、請求項１において、
隣接する要素ビーム３０のカバーチューブの接続具２１が、対向するカバーチューブの端面に夫々設けられ、互いに係脱される多数の小さなフックが植設された係止布とそのフックに係合する係合部材が多数植設された係合布とからなる一対の面ファスナ２２と、カバーチューブの縁部に突設された締結用の接続紐２３と、によって構成されたことを特徴とするエアビームハウスである。
【０００７】
請求項６に記載の発明は、請求項１において、
隣接する要素ビーム３０のカバーチューブの接続具２１が、カバーチューブ２０の端を周方向に紐部を介して接合され、その先端に係合用ファスナー２４が設けられたエアビームハウスである。
請求項７に記載の発明は、請求項１において、
隣接する要素ビーム３０の接続具２１が、カバーチューブ２０の端の円周上に等配付設された接続紐２３によって構成されたことを特徴とするエアビームハウスである。
請求項８に記載の発明は、請求項１において、
隣接する要素ビーム３０の接合部に平板シート２５を備えたことを特徴とするエアビームハウスである。
【０００８】
請求項９に記載の発明は、請求項１において、
要素ビーム３０との接続具２１を備え、骨組構造４０の支柱ごとに床面に載置されて、支柱を構成する要素ビーム３０の下端を接続し、且つ支持する筒状の専用基礎５０を備えたことを特徴とするエアビームハウスである。
【０００９】
【発明の実施の形態】
次に、本発明の実施の形態を図面により説明する。
図１は本発明のエアビームハウスの１例について、専用基礎５０に組み付けられた骨組構造４０を示す概要鳥瞰図、図２はその要部斜視図、図３は本発明の要素ビームのエアチューブ１０に空気を充満させたときの形状を示す側面図および正面図、図４は本発明の要素ビーム３０のカバーチューブ２０の側面図で、図２の空気を充満させたエアチューブ１０を収納した状態を示す。図５は図４の背面図、図６は、本発明の要素ビーム３０のカバーチューブ２０の端面に一対の係合布と係止布とからなる面ファスナ（商品名マジックテープ（登録商標））２２と接続紐２３と、を備えた接続具２１の１例を示す拡大側面図、図７は、同接続具２１の他の１例を示す拡大側面図で、ファスナー２４を備え、本発明の平板シート２５が併用されている。図８は、本発明の接続具２１の更に他の１例を示す拡大側面図で、接続紐２３を備え、本発明の平板シート２５が併用されている。図９は本発明の補強ベルト４１の展開状態を示す平面図、図１０は図９の補強ベルト４１の、要素ビーム３０の接続箇所への装着状況を示す側面図で、併せて本発明のエアホース１１の敷設状況を示す。図１１は本発明の専用基礎５０の平面図、図１２は図１１の側面図である。
【００１０】
エアビームハウスは１例として、図１，図２に示した骨組構造４０に、透明な難燃性軟質フィルム等が紐等により係止されて、箱状空間が形成される。
図示の骨組構造４０には、直線部材３１、隅梁部材３３、必要に応じて中梁部材が要素ビーム３０として組み込まれている。図中には含まれないが、Ｔ字状のＴ字部材も、梁とこれを支持する支柱の構成要素として有用である。骨組構造４０の支柱の下端は、床面に載置された筒状の専用基礎５０に取り付けられる。
【００１１】
夫々の要素ビーム３０は、いずれも可撓性軟質筒状フィルムよりなる、エアチューブ１０とそれを収納するカバーチューブ２０とからなる。エアチューブ１０はある程度の伸縮性を有する樹脂フィルムよりなり、カバーチューブ２０は可撓性はあるものの伸縮性の少ない樹脂フィルムよりなる。両者は非膨張状態で互いに整合する。そして、エアチューブ１０は圧縮空気を封じ込め、その内圧を主として支持する。そして、各要素ビームの端部どうしが反発する方向に内圧を加える。これに対してカバーチューブ２０はその端部に設けた接続具２１を連結することにより、各要素ビームの接続部を互いに引張合うように締結する。そしてその締結力と圧縮空気の弾発力とのバランスにより各要素ビームどうしを互いに強固に接続するものである。仮に、エアチューブ１０に接続具を直接取り付けると、その接続部に圧縮空気の内圧が加わると共に、さらに外力が加わりパンクし易いものとなる。そこでエアチューブ１０には外力が加わらないようにするため、接続具はカバーチューブ２０のみに取り付けられている。
【００１２】
図３に示したエアチューブ１０は、要素ビームの直線部材を構成するものであって、細長い直線状の可撓性チューブの両端が可撓性の円形フィルムで溶着により閉塞され、長手方向の両端外周に２組の給気用エアカプラ１２を備える。エアカプラ１２には、図１０に示すように、直列に接続するエアチューブ１０間がエアホース１１で連通される。エアホース１１は常時閉となる閉止手段１３を備え、エアホース１１のエアカプラ１２が接続されたときのみ連通される。それらは何れも、公知の構造で軽量かつ弾力性豊かに構成される。
【００１３】
カバーチューブ２０は、図４、図５に示すように、端面を塞がれた円筒形状を呈する。
そのカバーチューブ２０はエアチューブ１０を出し入れするためのファスナー付き開口部１４と、その長手方向両端にエアカプラ１２を挿通する２つの丸穴１５とを備え、両端に要素ビーム３０としての接続具２１を備える。極力、軽量に構成される。さらに、カバーチューブ２０にはその外面に軸線方向に平行なリブ２が突設され、そのリブ２に複数のハトメ３が固定されている。このハトメ３は後述する箱状の軟質透明フィルムを吊り下げるためのものである。
【００１４】
要素ビーム３０の接続には各種の方法がある。図６の例は、カバーチューブ２０の端面全体に、一例として商品名マジックテープ（登録商標）とよばれる係脱自在な一対の係合布と係止布とからなる面ファスナ２２が付設され、その外周に接続紐２３が配される。図７の例では、カバーチューブ２０の端面の外周にファスナー２４を備える。ここでは、隣り合う２つのカバーチューブ２０の端面とファスナー２４と、によって形成される円形空間に平板シート２５が挿入されている。また、図８の例では、接続具２１としては接続紐２３だけを備え、同様に、平板シート２５が併用されている。
図示例における平板シート２５は、プラスチック、或いはベニア板などで軽量に構成される。しかし、構造的には、あらかじめカバーチューブ２０の端に作り込まれて端部を円筒状に保ち、かつ内圧により軸芯方向に膨らまない平板シート２５構造とすることもできる。
【００１５】
次に、図２の（Ｂ）は接続具２１の他の例であり、一対のプラスチック製の係止部品６および係合部品５からなり、リックサックのポケットの開閉蓋を掛け止めるものとして常用されているものが利用できる。
接続具２１による接続箇所を補強するために、補強ベルト４１が装着されることがある。図９の例は、シートの中に４枚の補強板４２を備え、これと平行してシートの両端にファスナー４３を備える。接続箇所を中心にして骨組構造４０に巻き付け、ファスナー４３によって締め付けて取り付けられる。図９、図１０に示したように、エアカプラ１２のための丸穴を備える。
【００１６】
専用基礎５０は、円形平板５１に、カバーチューブ２０の外径に等しい短尺の円管５２が芯を合わせて溶接されている。円管５２の上端には段差５３が設けられて平板シート２５が載置され、外周には、要素ビーム３０の接続具２１として、接続紐２３を係止する突起５４が等配されている。
なお、図２（Ａ）に示す如く、専用基礎５０の円管５２の長さをより長くし、その下端に円形平板５１を設け、その円管５２内に脚となる要素ビームの下端部を挿入してもよい。
【００１７】
【組立方法】
エアビームハウスの組立には、まず設置場所で、専用基礎５０の配置が定められる。次いで、夫々のエアチューブ１０をカバーチューブ２０内に丁寧に、収納する。すなわち、空気注入時にエアチューブ１０に捻れが起きないように納めて、要素ビーム３０を構成する。所要の要素ビーム３０とエアホース１１とを、床面上で、順次、所要の箇所に接続する。
そして先ず、天井部の要素ビームおよびそれに接続される最上段の柱部のみを膨張させる。そして箱状に形成された遮蔽用の透明な軟質フィルム４の上端を夫々のハトメ３を介して紐等により接続する。次いで、第二段の柱部、最下段の柱部を順次膨張させ、それらと透明な軟質フィルム４の縁とを接続する。全ての要素ビームに空気を注入して骨組構造４０を完成し、完成後、エアホース１１が備える閉止手段１３を適宜、閉止し、エアビームハウスは完成する。
撤去の際には、まず、エアホース１１を外して充満した空気を抜くことを優先し、その他はおおむね組立時の逆順で分解される。また、万一使用中にエアチューブ１０に漏洩が発見されたときは、空気を充満した新たな要素ビーム３０を用意して、漏洩箇所の要素ビーム３０と取り替えが行われる。
【００１８】
次に図１〜図１２を参照して、上記のエアビームハウスの作用を説明する。
空気圧によって骨組構造４０の剛性を得るシステムは、使用時の接触事故などに許容性を有するのみならず、構成部品を軽量化することが可能であり、組立、分解、運搬、保管の諸過程でも、作業を軽便化できる特徴がある。
その要素ビーム３０は、一般的な骨組構造４０を機能上の基本要素に分解・再選別し、相互に共通の接続具２１を備えたものである。従って、要素ビーム３０の組み合わせにより、一体構成では実現不能であった自在な床面積、天井高さの骨組構造４０を構成することができる。
【００１９】
上記の要素ビーム３０は、直線状に延長するための直線部材３１と、１本の水平梁を支柱が支持するＴ字部材と、天井の隅で２方向の梁を支柱が支持する三叉状の隅梁部材３３と、隅梁部材３３の梁の１つを前後に延長できる中梁部材と、によって構成されている。図１に示す骨組構造４０にＴ字部材は含まれないが、図１の骨組構造４０を幅方向に拡大するには、即刻、Ｔ字部材が必要となる。これらの要素ビーム３０を基本要素とすることにより、実用的な骨組構造４０を経済的に多様に構成することができる。
【００２０】
要素ビーム３０を構成するエアチューブ１０が給気用のエアカプラ１２を備え、エアホース１１によって順次、接続されたことは、組立作業性を著しく高めるものである。
すなわち、エアチューブ１０は、エアホース１１と共に骨組構造４０全体への給気の通路を形成する。従って、あらかじめ全ての構成要素を床面上で接続することができる。これは、高所作業を排除し、安全かつ能率的な組立を可能とするものである。また、給気作業に関しても、要素ビーム３０毎に給気し、個々に圧力を確認する等の繰り返しを排除し、複数のエアカプラ１２から同時に給気して、骨組構造４０の全体に均一な圧力を供給できる。
【００２１】
閉止手段１３はエアカプラの先端に設けても、あるいはエアチューブ１０に設けてもよい。
閉止手段１３として、エアホース１１を挟む類の手段は、多数、安価に市販されている。また、エアチューブ１０を挟めば開閉状態は一目瞭然であり、状況管理上も好都合である。
給気完了後、閉止手段１３を適宜、閉じれば、万一、閉じた区間に漏洩がある場合にも、区間の発見と、漏洩エアチューブ１０の確認を容易にできる。また、漏洩エアチューブ１０が特定され、取り替えられる場合も有用である。両隣の要素ビーム３０への閉止手段１３を閉じ、また、空気を充満させた新規の要素ビーム３０の閉止手段１１を閉じて、接続替え作業を行うことが可能である。
【００２２】
図６に示す一例として商品名マジックテープ（登録商標）とよばれる係脱自在な一対の係合布と係止布とからなる面ファスナ２２は、カバーチューブ２０を軽便に接続できる接続法である。ただし、空気を充たされたエアチューブ１０は、両端が図２のように膨らむために、接続面の周辺で面ファスナ２２に剥がれを生ずる可能性がある。接続紐２３あるいは図２（Ｂ）の一対の係合部品５と係止部品６とでこれを補い、確実な接続を実現している。
図７に示すファスナー２４は、突き合わされたカバーチューブ２０の端が周方向に均一かつ強固に縫合・接続される。また、接続されるカバーチューブ２０の周方向の相対位置が自動的に設定される。従って、エアカプラ１２の取り出し口の配列が前後に乱れるおそれがない。
図８の接続紐２３は、周方向に等配され、かつカバーチューブ２０の外周で端面に至近の位置に付設されている。従って、接続される双方の端面が偏芯状態になることがなく、ファスナー２４と同等の機能を発揮できる。接続の位相のずれは、接続紐２３を、例えば色分けすることで解消される。
【００２３】
平板シート２５が、図７、図８、に示す接続法において併用されている。平板シート２５は、隣接するエアチューブ１０の相互干渉を排除し、エアチューブ１０を要素ビーム３０ごとに独立かつ確実に膨張させ、形状を維持させるのに有用である。  給気に際し、エアチューブ１０はカバーチューブ２０の中で膨張するために、カバーチューブ２０に対して、理想的に均一に膨張できないおそれがある。すなわち、内部の圧力は同一でも、エアチューブ１０に局部的な弾性変形を生じ、要素ビーム３０としての剛性に非対称性を生ずるおそれである。この非対称性は、エアチューブ１０の端部ほど起こりやすく、更に、相互に押し合いながら接続されれば、接続部の強度部材としての信頼性を低下させる。結果として、接続部の近辺で要素ビーム３０の折れ曲がりを生ずる可能性がある。平板シート２５は、こうしたトラブルを未然に防ぐ働きを有する。
【００２４】
すなわち、エアチューブ１０はカバーチューブ２０の両端の丸穴１５にエアカプラ１２を挿通し、カバーチューブ２０の長手方向に、あらかじめ分布させられている。しかも、カバーチューブ２０の両端は、平板シート２５によって平面が保たれている。給気に際し、もし平板シート２５がカバーチューブ２０の軸芯に垂直に保たれれば、カバーチューブ２０は円柱状の空間を保ちやすく、エアチューブ１０は、カバーチューブ２０に邪魔されずに自在に膨張することができる。また、平板シート２５は、接続される相互のエアチューブ１０の隔壁として機能し、相互の形状、すなわち弾性変形量が互いに影響を及ぼし合うおそれがない。
【００２５】
補強ベルト４１は、骨組構造４０の、特に支柱部の接続部近辺で起こる可能性のある折れ曲がりに対し、該部に装着することにより、応急的に補強機能を発揮させることができる。
元来、本発明による骨組構造４０は、所定の天井高さ／床面積比の範囲にあれば補強ベルト４１を要しない。例外的な構築には常装を要するが、エアチューブ１０の装着不良などの場合にも応急的な補強効果を得て、作業の進捗を妨げることがない。装着不良など、理由が明かな場合には、期を見て正規状態に修復しておくことが望ましい。
【００２６】
専用基礎５０は、骨組構造４０を床面上の一定位置に保持することを基本使命とする。その配置は、設置の位置を計測し、そこに水平に載置すれば完了する。位置・姿勢の設置精度は緩やかで、能率的に設置できる。要素ビーム３０の接続も、カバーチューブ２０相互の接続と同一要領で、短面を円管５２に揃え、接続紐２３を用いて係止すれば完了する。撤去の作業も、設置と同様に軽便である。専用基礎５０を備えたことで、作業性を著しく向上できる。
【００２７】
【発明の効果】
以上のように請求項１に記載の発明は、透明な難燃性フィルムを掛けて塵埃を遮蔽し、作業空間を形成するエアビームハウスが、空気を充満するエアチューブ１０を内に収納し、かつ接続具２１を備えたカバーチューブ２０を要素ビーム３０とし、要素ビーム３０が自在に組み立てられた骨組構造４０を具備する。そのため、床面積や天井高さを自在に構成したエアビームハウスを提供することができる。さらに、隣接する要素ビーム３０の接合部を補強する補強ベルト４１を備えている。そのため、万一の接続不良のときも、それが補強されるエアビームハウスを提供できる。
請求項２に記載のエアビームハウスは、請求項１において、要素ビーム３０が直線部材３１と、隅梁部材３３と、を備えたことを特徴とする。そのため、床面積や天井高さが異なる骨組構造４０を自在に構成することができるエアビームハウスを提供できる。
【００２８】
請求項３に記載のエアビームハウスは、請求項１において、エアチューブ１０が給気用の２組のエアカプラ１２を備え、隣接する要素ビーム３０のエアチューブ１０どうしが、順次そのエアカプラ１２とエアホース１１によって接続されたことを特徴とする。そのため、多数の要素ビーム３０を床面で接続したあと、給気することができる。すなわち、組立に高所作業を必要とせず、安全で能率的に組立ができ、かつ分解ができるエアビームハウスを提供できる。
請求項４に記載のエアビームハウスは、請求項３において、エアホース１１がその内部に流通する空気の流れを開閉自在に閉塞する閉止手段１３を備えたことを特徴とする。そのため、漏洩箇所のある要素ビーム３０の発見や、その取り替え作業が容易に可能となり、閉止手段１３をエアチューブ１０に付属させる場合より、安価にエアビームハウスを提供できる。
【００２９】
請求項５に記載のエアビームハウスは、請求項１において、隣接する要素ビーム３０の接続具２１が、面ファスナ２２と、接続紐２３と、によって構成されたことを特徴とする。そのため、能率的に接続作業を行うことができるエアビームハウスを提供できる。
請求項６に記載のエアビームハウスは、請求項１において、隣接する要素ビーム３０の接続具２１が、カバーチューブ２０の端を周方向に接合するファスナー２４によって構成されたことを特徴とする。そのため、接続部の全周を均一に、また、格別の注意を要することなく、要素ビーム３０の周方向の位相を揃えて接続できるエアビームハウスを提供できる。
【００３０】
請求項７に記載のエアビームハウスは、請求項１において、隣接する要素ビーム３０の接続具２１が、カバーチューブ２０の端に所定ピッチで付設された接続紐２３およびその先端に設けた係合部品・係止部品によって構成されたことを特徴とする。そのため、接続具２１を安価に実現でき、能率的に接続作業を行うことができるエアビームハウスを提供できる。
請求項８に記載のエアビームハウスは、請求項１において、隣接する要素ビーム３０の接合部に平板シート２５を備えたことを特徴とする。そのため、エアチューブ１０への給気に際し、特にその端部で、カバーチューブ２０の影響や隣接するエアチューブ１０との相互干渉を回避することが可能となり、信頼性の高い接続構造を備えたエアビームハウスを提供できる。
【００３１】
請求項９に記載のエアビームハウスは、請求項１において、要素ビーム３０との接続具２１を備え、床面に載置されて、骨組構造４０の支柱ごとに下端の要素ビーム３０を接続し、且つ支持する専用基礎５０を備えたことを特徴とする。そのため、床面上にエアビームハウスの設置の位置を定め、それを維持し、撤去に際しても作業の容易なエアビームハウスを提供できる。
【図面の簡単な説明】
【図１】本発明のエアビームハウスの１例について、専用基礎５０に組み付けられた骨組構造４０を示す概要鳥瞰図。
【図２】図１の要部斜視図。
【図３】本発明のエアチューブ１０が空気を充満させられたときの形状を示す側面図および正面図。
【図４】本発明のカバーチューブ２０の側面図で、図２の空気を充満させたエアチューブ１０を収納した状態を示す。
【図５】図４の背面図。
【図６】  本発明の面ファスナ２２と接続紐２３と、を備えた接続具２１の１例を示す拡大側面図。
【図７】本発明の接続具２１の他の１例を示す側面図で、ファスナー２４を備え、本発明の平板シート２５が併用されている。
【図８】本発明の接続具２１の更に他の１例を示す側面図で、接続紐２３を備え、本発明の平板シート２５が併用されている。
【図９】本発明の補強ベルト４１の展開状態を示す平面図。
【図１０】図９の補強ベルト４１の、要素ビーム３０の接続箇所への装着状況を示す側面図で、併せて本発明のエアホース１１の敷設状況を示す。
【図１１】本発明の専用基礎５０の平面図。
【図１２】図１１の側面図。
【符号の説明】
２  リブ
３  ハトメ
４  軟質フィルム
５  係合部品
６  係止部品
１０  エアチューブ
１１  エアホース
１２  エアカプラ
１２ａ  ソケット
１２ｂ  プラグ
１３  閉止手段
１４  開口部
１５  丸穴
２０  カバーチューブ
２１  接続具
２２  面ファスナ
２３  接続紐
２４  ファスナー
２５  平板シート
３０  要素ビーム
３１  直線部材
３３  隅梁部材
４０  骨組構造
４１  補強ベルト
４２  補強板
４３  ファスナー
５０  専用基礎
５１  円形平板
５２  円管
５３  段差
５４  突起
【図１】
0004048399.tif 000002
【図２】
0004048399.tif 000003
【図３】
0004048399.tif 000004
【図４】
0004048399.tif 000005
【図５】
0004048399.tif 000006
【図６】
0004048399.tif 000007
【図７】
0004048399.tif 000008
【図８】
0004048399.tif 000009
【図９】
0004048399.tif 000010
【図１０】
0004048399.tif 000011
【図１１】
0004048399.tif 000012
【図１２】
0004048399.tif 000013